(57)【要約】【課題】自動車の位置を特定し、その位置に適した音楽を選択可能とする、車載用音楽演奏装置、音楽選択方法及びプログラム、並びにこれらの装置や方法、プログラムに使用される音楽データベースを提供することである。【解決手段】自動車の現在位置を検出し、この検出結果に基づいて現在位置の近くにある少なくとも１つの施設を抽出し、抽出された施設に関連するキーワードを抽出し、抽出されたキーワードに関連する音楽データを演奏する音楽データとして該音楽記憶手段から取得する構成として、上記目的を達成した。【選択図】図１
2007265563.tif 000002
【特許請求の範囲】
【請求項１】
自動車に搭載される車載用音楽演奏装置であって、
音楽データを記憶する音楽記憶手段と、
該自動車の現在位置を検出する位置取得手段と、
前記位置取得手段の検出結果に基づいて該現在位置に関連する少なくとも１つの施設を抽出する施設抽出手段と、
前記施設抽出手段によって抽出された施設に関連するキーワードを抽出するキーワード抽出手段と、
前記キーワード抽出手段によって抽出されたキーワードに関連する音楽データを前記音楽記憶手段から取得する音楽選択手段と、
前記音楽選択手段によって選択された音楽データを再生する音楽再生手段と、
を備えた車載用音楽演奏装置。
【請求項２】
音楽データを識別する為の音楽識別情報と、この音楽識別情報と該キーワードとを関連づけて記憶する音楽データベースをさらに有し、
前記音楽記憶手段は、該音楽データを該音楽識別情報と関連づけて記憶しており、
前記音楽選択手段は、前記キーワード抽出手段によって抽出されたキーワードをキーとして前記音楽データベースを検索して、このキーワードに関連した音楽データの音楽識別情報を取得すると共に、取得した音楽識別情報に関連づけられた音楽データを前記音楽記憶手段から取得すること、
を特徴とする請求項１に記載の車載用音楽演奏装置。
【請求項３】
前記音楽データベースは、該音楽データの歌詞に含まれる語をキーワードとして該音楽識別情報に関連づけて記憶していること、を特徴とする請求項２に記載の車載用音楽演奏装置。
【請求項４】
該施設に関連するキーワードを前記車載用音楽演奏装置のユーザが追加するためのキーワード追加手段をさらに有する、ことを特徴とする請求項１から３のいずれかに記載の車載用音楽演奏装置。
【請求項５】
前記施設抽出手段は、該自動車の現在位置の近くにある施設を該現在位置に関連する施設として抽出する、ことを特徴とする請求項１から４のいずれかに記載の車載用音楽演奏装置。
【請求項６】
自動車に搭載される車載用音楽演奏装置において、演奏する音楽データを音楽記憶手段から自動的に選択する音楽選択方法であって、
該自動車の現在位置を検出する位置取得ステップと、
前記位置取得ステップによる検出結果に基づいて該現在位置に関連する少なくとも１つの施設を抽出する施設抽出ステップと、
前記施設抽出ステップによって抽出された施設に関連するキーワードを抽出するキーワード抽出ステップと、
前記キーワード抽出手段によって抽出されたキーワードに関連する音楽データを演奏する音楽データとして該音楽記憶手段から取得する音楽選択ステップと、
を有する音楽選択方法。
【請求項７】
音楽データを識別する為の音楽識別情報と、この音楽識別情報と該キーワードとを関連づけて記憶する音楽データベースを該車載用音楽演奏装置が有しており、
該音楽記憶手段は、該音楽データを該音楽識別情報と関連づけて記憶しており、
前記音楽選択ステップは、前記キーワード抽出ステップによって抽出されたキーワードをキーとして前記音楽データベースを検索して、このキーワードに関連した音楽データの音楽識別情報を取得すると共に、取得した音楽識別情報に関連づけられた音楽データを該音楽記憶手段から取得すること、
を特徴とする請求項６に記載の音楽選択方法。
【請求項８】
前記音楽データベースは、該音楽データの歌詞に含まれる語をキーワードとして該音楽識別情報に関連づけて記憶していること、を特徴とする請求項７に記載の音楽選択方法。
【請求項９】
該施設に関連するキーワードを該車載用音楽演奏装置のユーザが追加するためのキーワード追加ステップをさらに有する、ことを特徴とする請求項６から８のいずれかに記載の音楽選択方法。
【請求項１０】
前記施設抽出ステップは、該自動車の現在位置の近くにある施設を該現在位置に関連する施設として抽出する、ことを特徴とする請求項６から９のいずれかに記載の音楽選択方法。
【請求項１１】
自動車に搭載される車載用音楽演奏装置において、演奏する音楽データを音楽記憶手段から自動的に選択するための音楽選択プログラムであって、
該自動車の現在位置を検出する位置取得ステップと、
前記位置取得ステップによる検出結果に基づいて該現在位置に関連する少なくとも１つの施設を抽出する施設抽出ステップと、
前記施設抽出ステップによって抽出された施設に関連するキーワードを抽出するキーワード抽出ステップと、
前記キーワード抽出手段によって抽出されたキーワードに関連する音楽データを演奏する音楽データとして該音楽記憶手段から取得する音楽選択ステップと、
を有する音楽選択プログラム。
【請求項１２】
音楽データを識別する為の音楽識別情報と、この音楽識別情報と該キーワードとを関連づけて記憶する音楽データベースを該車載用音楽演奏装置が有しており、
該音楽記憶手段は、該音楽データを該音楽識別情報と関連づけて記憶しており、
前記音楽選択ステップは、前記キーワード抽出ステップによって抽出されたキーワードをキーとして前記音楽データベースを検索して、このキーワードに関連した音楽データの音楽識別情報を取得すると共に、取得した音楽識別情報に関連づけられた音楽データを該音楽記憶手段から取得すること、
を特徴とする請求項１１に記載の音楽選択プログラム。
【請求項１３】
前記音楽データベースは、該音楽データの歌詞に含まれる語をキーワードとして該音楽識別情報に関連づけて記憶していること、を特徴とする請求項１２に記載の音楽選択プログラム。
【請求項１４】
該施設に関連するキーワードを該車載用音楽演奏装置のユーザが追加するためのキーワード追加ステップをさらに有する、ことを特徴とする請求項１１から１３のいずれかに記載の音楽選択プログラム。
【請求項１５】
前記施設抽出ステップは、該自動車の現在位置の近くにある施設を該現在位置に関連する施設として抽出する、ことを特徴とする請求項１１から１４のいずれかに記載の音楽選択プログラム。
【請求項１６】
音楽データを識別する為の音楽識別情報と、この音楽識別情報に対応する音楽の歌詞に含まれる特定の語であるキーワードとを互いに関連づけて記憶する音楽データベース。
【発明の詳細な説明】
【技術分野】
【０００１】
本発明は、ハードディスクなどの記憶手段に記憶された音楽データを再生する車載用音楽演奏装置、及び再生する音楽データを自動的に選択する為の音楽選択方法及びプログラム、並びにこの音楽選択方法及びプログラムに使用される音楽データベースに関する。
【背景技術】
【０００２】
近年、ハードディスクなどの大容量ストレージを内蔵し、その中にＳＭＦ（Ｓｔａｎｄａｒｄ  ＭＩＤＩ  Ｆｏｒｍａｔ）形式やＭＰ３（ＭＰＥＧ−１  Ａｕｄｉｏ  Ｌａｙｅｒ  ３）形式等の音楽データを再生する車載用音楽演奏装置が利用されている。このような装置は、数百曲〜数千曲の音楽データを記憶することができ、音楽データをユーザの操作に応じて、或いはランダムに演奏させることができる。
【０００３】
このような車載用音楽演奏装置の中には、特許文献１のように、ＧＰＳレシーバなどの位置検出手段を備えたものがある。特許文献１の装置においては、位置検出手段を用いて自動車が現在いる地域を特定し、このエリアにあった、所謂ご当地ソングを自動的に選択して演奏することができるようになっている。
【特許文献１】特開平８−２４８９５３
【０００４】
特許文献１の装置においては、音楽データの各々に対してその音楽データの音楽に対応するエリアが記録されている地図関連情報を用いて、現在自動車が位置する地域のご当地ソングを演奏するようになっている。
【発明の開示】
【発明が解決しようとする課題】
【０００５】
上記のように、特許文献１のような構成においては、自動車が走行している地域に対応したご当地ソングを放映するといった目的においては有効である。しかしながら、このような地域に関連づけられる音楽は多くなく、また、そのような音楽は東京などの特定の地域に関連したものが多く、地域においては適切な音楽が無いという可能性も高い。
【０００６】
本発明は、上記の問題に鑑みてなされたものであり、自動車の位置を特定し、その位置に適した音楽を選択可能とする、車載用音楽演奏装置、音楽選択方法及びプログラム、並びにこれらの装置や方法、プログラムに使用される音楽データベースを提供することを目的とする。
【課題を解決するための手段】
【０００７】
上記の問題を解決する為、本発明においては、自動車の現在位置を検出し、この検出結果に基づいて現在位置に関連する少なくとも１つの施設を抽出し、抽出された施設に関連するキーワードを抽出し、抽出されたキーワードに関連する音楽データを演奏する音楽データとして該音楽記憶手段から取得する。
【０００８】
従って、本発明によれば、例えば自動車の近くにある施設（公園、遊園地）の種類に対応したキーワード（ピクニック、観覧車など）を抽出し、このキーワードに対応した音楽を自動的に選択することができる。
【０００９】
また、音楽データを識別する為の音楽識別情報とこの音楽識別情報とキーワードとを関連づけて記憶する音楽データベースを車載用音楽演奏装置が有しており、音楽記憶手段は、音楽データを音楽識別情報と関連づけて記憶しており、キーワード抽出ステップによって抽出されたキーワードをキーとして音楽データベースを検索して、このキーワードに関連した音楽データの音楽識別情報を取得すると共に、取得した音楽識別情報に関連づけられた音楽データを該音楽記憶手段から取得する構成としても良い。
【００１０】
また、例えば、音楽データベースは、音楽データの歌詞に含まれる語をキーワードとして音楽識別情報に関連づけて記憶してもよい。
【００１１】
また、施設に関連するキーワードを車載用音楽演奏装置のユーザが追加可能としてもよい。このような構成とすると、特定の施設に対して、所望のキーワードを関連づけることが可能となる。
【００１２】
なお、例えば、自動車の現在位置の近くにある施設を前述の現在位置に関連する施設として抽出する構成としても良い。
【発明の効果】
【００１３】
以上のように、本発明によれば、自動車の位置を特定し、その位置に適した音楽を選択可能となる。
【発明を実施するための最良の形態】
【００１４】
以下、図面を参照して、本発明の実施の形態につき説明する。図１は、本実施形態の車載用音楽演奏装置のブロック図である。本実施形態の音楽演奏装置１は、オーディオＣＤに収録されているデジタル音楽データを、ＭＰ３形式のデジタル音楽データに一旦変換し、これをハードディスク１３に保管するようになっている。保管された音楽データは、後述する自動選局機能やユーザによる操作によってハードディスクから適宜読み出され、音楽としてスピーカ２４より出力される。
【００１５】
音楽演奏装置１は、モニタ４２とこのモニタ４２に画像を表示させる為の画像信号を生成する信号処理手段４１とを備えており、音楽演奏装置１のコントローラ１１は、信号処理手段４１を制御してモニタ４２に所望の画像を表示させることができる。また、モニタ４２の画面上にはタッチセンサ４３が設けられており、音楽演奏装置１のユーザはこのタッチセンサ４３の特定の箇所に触れてコントローラ１１に情報を送信することができる。また、メモリ１２はＲＡＭ、ＳＲＡＭ、ＲＯＭ等から構成されており、コントローラ１１が使用するワークエリア、キャッシュ、或いはファームウェアの保存領域等に利用される。
【００１６】
オーディオＣＤに収録されている音楽データは、ＣＤドライブ２１によって読み出され、ＤＳＰ２２によってＭＰ３形式の音楽データファイルにエンコードされ、ハードディスク１５に保存される。ＭＰ３形式の音楽データファイルを音楽として再生する際は、音楽データ１５をハードディスク１５から読み出してＤＳＰ（Ｄｉｇｉｔａｌ  Ｓｉｇｎａｌ  Ｐｒｏｃｅｓｓｏｒ）２２に転送する。ＤＳＰ２２は、ＭＰ３形式の音楽データファイルを非圧縮のデジタル音楽データにデコードしてＤ／Ａコンバータ２３に送信される。Ｄ／Ａコンバータ２３はデジタル音楽データをアナログの音楽データに変換してスピーカ２４に送る。この結果、スピーカ２４から音楽が再生される。なお、これらの作業は、コントローラ１１がＣＤドライブ２１、ＤＳＰ２２、ＨＤＤ１３等を制御することによって行われる。
【００１７】
ここで、音楽データをＭＰ３形式にエンコードする際、コントローラ１１はこの音楽データに関連する情報（曲名、演奏者名など）を取得し、これを音楽情報データとして保管する。音楽データファイルを再生する際は、コントローラ１１は対応する音楽情報データを取得する。この音楽情報データの一部をモニタ４２に表示させることによって、音楽演奏装置１のユーザは演奏中の曲名や演奏者名を確認することができる。
【００１８】
音楽情報データの形式を図２に示す。なお、本実施形態においては、音楽情報データはエンコード前のオーディオＣＤ毎に形成されるようになっている。音楽情報データの先頭には、オーディオＣＤのＴＯＣ（Ｔａｂｌｅ  ｏｆ  Ｃｏｎｔｅｎｔｓ）情報、オーディオＣＤのタイトル、演奏者名、オーディオＣＤに収録されている曲（個々の音楽データファイルに対応）の数などが記録されたヘッダが設けられている。ＴＯＣ情報とは、オーディオＣＤのヘッダ部分に記録されている一種の識別コードであり、オーディオＣＤごとにユニークな情報となっている。
【００１９】
また、このヘッダの後に、曲の各々に関する情報である曲情報データが記録される曲データ格納エリアが曲順に形成されるようになっている。曲データ格納エリアのそれぞれには、その曲を識別する為の曲ＩＤ、曲名、後述する音楽選択機能にて使用される単数または複数のキーワード、そしてこの曲に対応するＭＰ３形式の音楽データファイルのファイル名が記憶されている。なお、このキーワードは、各曲の歌詞から抽出された単語である。
【００２０】
この音楽情報データのうち、音楽データファイルのファイル名以外のものは、オーディオＣＤの音楽をエンコードする際にこのＣＤのＴＯＣ情報を取得し、このＴＯＣ情報を用いて音楽データベースを検索することによって取得される。この取得された情報に音楽データファイルのファイル名を追記して音楽情報データは作成される。音楽データベースは、ハードディスク１３内に格納されている多数の（ファイル名を含まない）音楽情報データ群を、コントローラ１１が処理することによって運用されている。
【００２１】
音楽データベースが使用する音楽情報データ群は、音楽演奏装置１の工場出荷時にハードディスク１３内に記録されているが、音楽演奏装置１のユーザが後に更新することも可能である。例えば、ＦＭ受信アンテナ５１（図１）を介してＦＭ放送受信部５２が受信したＦＭデータ放送に含まれる更新データを用いて、音楽情報データ群を更新することができる。
【００２２】
続いて、本実施形態における音楽選択機能につき、説明する。図１に示されているように、本実施形態の音楽演奏装置１は、ＧＰＳアンテナ３１を介して複数のＧＰＳ衛星から信号を受信するためのＧＰＳレシーバ３２を有している。コントローラ１１は、ＧＰＳレシーバ３１が受信した信号を用いて、音楽演奏装置１が搭載されている自動車の位置（緯度及び経度）を特定することができる。ただし、自車位置特定の精度を向上させるためＧＰＳレシーバ３２による測位と自立航法とが併用されても良い。
【００２３】
自立航法は、自動車の方位と速度（すなわち、自動車の速度ベクトル）を所定時間ごと（例えば数１０ミリ秒ごと）に取得し、ＧＰＳレシーバ３２を用いた自動車の位置取得後の速度ベクトルを時間で積分することによって、ＧＰＳで自動車の位置を取得した時点から自動車がどの程度移動しているのか推定するものである。
【００２４】
自動車の速度は、自動車の車軸に設けられたエンコーダの出力パルスから算出される。すなわちエンコーダの出力パルスは速度センサ３３に送信され、速度センサ３３はパルス間の時間を計測し、この計測結果に基づいて自動車の速度を算出する。例えば、車軸の一回転ごとにパルスが出力されるような構成においては、自動車のタイヤの周長をパルス間隔で割った値が自動車の速度となる。算出された速度はコントローラ１１に送信される。
【００２５】
また、自動車の方位は、音楽演奏装置１に内蔵されたジャイロスコープ３４によって計測される自動車の角速度に基づいて算出される。すなわち、ジャイロスコープ３４から出力させる角速度は周期的にコントローラ１１に送られ、コントローラはこの角速度を時間で積分することによって、基準方位に対する自動車の相対方向を算出する。ここで、基準方位は、２箇所でＧＰＳレシーバ３２を用いて測定した自動車の絶対位置と、この２箇所間を自動車が移動する際の角速度および速度の変化から算出される。なお、本実施形態においては、ＧＰＳレシーバ３２または自立航法を利用して、常時自動車の現在位置を取得するようになっている。
【００２６】
このようにして取得した自動車の速度および方位から、自動車の速度ベクトルが算出される。自立航法を行う際は、コントローラ１１は、この速度ベクトルを時間で積分することにより、自動車の変位をベクトル量として取得する。前回計測された自動車の絶対位置の位置ベクトルに、この変位のベクトルを加算することによって、自動車の現在の位置を取得することができる。
【００２７】
本実施形態においては、主要な施設の名称とその施設の位置、およびその施設に関連する単数またはキーワードから構成される施設情報データがハードディスク１３内に格納されている。施設情報データの一例を図３に示す。図３に示されているように、例えば施設が「上野公園」である場合は、キーワードは「上野」という地名や上野公園に植えられている「桜」をキーワードとしている。また、施設が遊園地である場合は、遊園地の訪問目的の一つである「ピクニック」や、遊園地で定期的に開催されているイベントに因んだ「戦隊」などをキーワードとしている。このように、施設に関連づけられるキーワードは、地名、イベント名、施設の用途など、その施設の特徴となる語である。
【００２８】
図３に示されているような施設情報データを用いて、コントローラ１１は現在の自車位置の近辺（例えば半径５００メートル以内）にある施設と、その施設の各々に関連するキーワードを取得することができる。次いで、コントローラ１１は、このキーワードを用いて、ハードディスク１３内に記憶された音楽情報データを検索し、ハードディスク１３内に記憶されている音楽データのうち、このキーワードに対応したものがあるかどうかを検出する。
【００２９】
以上のように、本実施形態の音楽演奏装置１は、自動車の近辺にある施設に関連する音楽を抽出することができるようになっている。
【００３０】
本実施形態の音楽演奏装置１は、ＧＰＳレシーバなどの自車の位置を特定する手段や画像を表示する為のモニタを備えている。このような構成要素は自動車を目的地まで導く為のカーナビゲーション装置と共通のものである。従って、本実施形態の音楽演奏装置１はカーナビゲーション装置を兼ねていてもよい。一般に、カーナビゲーション装置においては、自車の周囲の地図がモニタ上に表示され、この地図上には施設を示すアイコンが表示されている。この場合、カーナビゲーション装置のモニタの地図上に表示された施設を、「自車の近くの施設」として抽出しても良い。或いは、自車の近くにはなくとも、自車の現在位置に関連する施設（例えば、自車位置からよくみえる山等）を抽出する構成も考えられる。
【００３１】
本実施形態においては、図４のフローチャートに示されるルーチンをコントローラ１１が実行することによって、自動車の近辺にある施設に関連する音楽を抽出するようになっている。以下、このルーチンにつき説明する。
【００３２】
図４のルーチンは、ユーザがタッチセンサ４３を操作して、自動車の近辺にある施設に関連する音楽の一覧をモニタ４２に表示させる際に実行されるルーチンである。本ルーチンが実行されると、最初にステップＳ１が実行される。ステップＳ１では、コントローラ１１はハードディスク１３内の音楽情報データをチェックして、ハードディスク１３内に音楽データが記憶されているかどうかを判定する。ハードディスク１３内に音楽データが一曲も記憶されていないのであれば（Ｓ１：ＮＯ）、ステップＳ１１に進む。ステップＳ１１では、ハードディスク１３内に音楽が記録されていないことをユーザに報知する為のエラーメッセージをモニタ４２に表示し、次いで本ルーチンを終了する。一方、ステップＳ１において、ハードディスク１３内に音楽データが記憶されているのであれば（Ｓ１：ＹＥＳ）、ステップＳ２に進む。
【００３３】
ステップＳ２では、ＧＰＳレシーバ３２または自立航法によって取得されている自動車の現在位置の緯度及び経度を用いて、施設情報データ（図３）を検索し、自動車の周囲に施設があるかどうかの判定を行う。自動車の周囲に施設がないと判断されたのであれば（Ｓ２：ＮＯ）、ステップＳ１２に進む。ステップＳ１２では、自動車の周囲に施設がないことをユーザに報知する為のエラーメッセージをモニタ４２に表示し、次いで本ルーチンを終了する。一方、ステップＳ２において、自動車の周囲に施設があると判断されたのであれば（Ｓ２：ＹＥＳ）、ステップＳ３に進む。
【００３４】
ステップＳ３では、施設情報データ（図３）を検索して、自動車の近辺にある施設に関連づけられたキーワードを抽出する。次いで、ステップＳ４に進む。
【００３５】
ステップＳ４では、ステップＳ３で抽出されたキーワードを用いて音楽情報データ（図２）の検索を行い、このキーワードに関連づけられた音楽データがあるのかどうかの判定を行う。関連する音楽データがないと判断されたのであれば（Ｓ４：ＮＯ）、ステップＳ１３に進む。ステップＳ１３では、自動車の周囲の施設に関連する音楽データがないことをユーザに報知する為のエラーメッセージをモニタ４２に表示し、次いで本ルーチンを終了する。一方、ステップＳ４において、自動車の周囲の施設に関連する音楽データがあると判断されたのであれば（Ｓ４：ＹＥＳ）、ステップＳ５に進む。
【００３６】
ステップＳ５では、ステップＳ３で抽出されたキーワードを用いて音楽情報データ（図２）の検索を行い、このキーワードに関連づけられた音楽データの曲ＩＤを抽出し、さらに、この曲ＩＤが示す音楽データの曲名、演奏者名およびデータファイル名を抽出する。次いで、ステップＳ６に進む。
【００３７】
ステップＳ６では、ステップＳ５で抽出された音楽データの曲名およびデータファイル名を用いて、再生操作画面を作成し、次いで本ルーチンを終了させる。
【００３８】
再生操作画面の一例を図５に示す。図５に示されているように、再生操作画面は、図４のルーチンのステップＳ５で抽出された曲名と、その曲の演奏者名とがリスト表示されており、ユーザはこの曲名の部分に触れることによって、所望の音楽を再生することができる。また、再生操作画面中に示された「ランダム再生」ボタンをユーザが触れることによって、検索された音楽データをランダム再生することも可能である。
【００３９】
本実施形態においては、施設情報データ（図３）を編集して、特定の施設に関連するキーワードを追加することも可能である。以下、その手順につき説明する。図６は、任意の施設に対し、キーワードを追加する際にモニタ４２に表示される編集画面の一例である。
【００４０】
図６の編集画面には、キーワードを追加したい施設を選択する為の施設選択メニューＭ１と、追加するキーワードを選択する為のキーワード選択メニューＭ２と、施設選択メニューＭ１を用いて選択した施設に現在登録されているキーワードの一覧が表示されているキーワード表示エリアＫとが配置されている。
【００４１】
音楽演奏装置１のユーザは、この編集画面の施設選択メニューＭ１に触れて所望の施設を選択し、次いでキーワード表示エリアＫの表示内容を確認しながらキーワード選択メニューＭ２に触れて追加したいキーワードを選択する。
【００４２】
図６の編集画面には、決定ボタンＢ１とキャンセルボタンＢ２が配置されている。キーワードを追加する施設とこの施設に追加したいキーワードを選択した後、決定ボタンＢ１に触れることによって、選択されたキーワードが選択された施設に追加されるように、施設情報データが更新される。一方、キャンセルボタンＢ２をユーザが触れた場合は、施設情報データが更新されない。
【図面の簡単な説明】
【００４３】
【図１】本発明の実施の形態の車載用音楽演奏装置のブロック図である。
【図２】本発明の実施の形態における音楽情報データの形式を示すメモリマップである。
【図３】本発明の実施の形態における施設情報データの形式を示すテーブルである。
【図４】本発明の実施の形態において、自動車の近辺にある施設に関連する音楽の一覧を表示させる際に音楽演奏装置によって実行されるルーチンのフローチャートである。
【図５】本発明の実施の形態において、自動車の近辺にある施設に関連する音楽の一覧が表示された再生操作画面を示したものである。
【図６】本発明の実施の形態において、任意の施設に対してキーワードを追加する際に表示される編集画面を示したものである。
【符号の説明】
【００４４】
１    音楽演奏装置
１１    コントローラ
１２    メモリ
１３    ハードディスク
２１    ＣＤドライブ
２２    ＤＳＰ
２３    Ｄ／Ａコンバータ
２４    スピーカ
３１    ＧＰＳアンテナ
３２    ＧＰＳレシーバ
３３    速度センサ
３４    ジャイロスコープ
４１    信号処理手段
４２    モニタ
４３    タッチセンサ
５１    ＦＭ受信アンテナ
５２    ＦＭ放送受信部
【図１】
2007265563.tif 000003
【図２】
2007265563.tif 000004
【図３】
2007265563.tif 000005
【図４】
2007265563.tif 000006
【図５】
2007265563.tif 000007
【図６】
2007265563.tif 000008